(57)【要約】【課題】筐体への認証カードの脱着性を確保し、筐体の小型化を達成できる携帯電子機器を提供する。【解決手段】長手方向Ｄ１及び短手方向Ｄ２を含む平面に沿って拡がる第１面２ｂ並びに長手方向Ｄ１及び厚み方向Ｄ３を含む平面に沿って拡がり且つ第１面２ｂに短手方向Ｄ２に隣接する第２面２ｃを有し、第１面２ｂと第２面２ｃに跨って形成される開口部６１を介して電池Ｑが収容される電池収容凹部６０を有する筐体２と、筐体２に短手方向Ｄ２に装着され、開口部６１の第１面２ｂ側に開口する第１開口部６１Ａ及び第２面２ｃ側に開口する第２開口部６１Ｂを覆う電池蓋部材９０と、第２開口部６１Ｂを介して認証カードＩＤが挿入されるカード挿入孔８３を有し、カード挿入孔８３に短手方向Ｄ２に挿入された認証カードＩＤを保持するカードホルダ８０と、と備える。電池蓋部材９０は、カードホルダ８０に認証カードＩＤが保持された状態で筐体２に装着される。【選択図】図９
2010278627.tif 000002
【特許請求の範囲】
【請求項１】
長手方向、短手方向及び厚み方向を有する筐体であって、前記長手方向及び前記短手方向を含む平面に沿って拡がる第１面並びに前記長手方向及び前記厚み方向を含む平面に沿って拡がり且つ前記第１面に前記短手方向に隣接する第２面を有するとともに、前記第１面と前記第２面とに跨って形成される開口部を介して電池が収容される電池収容凹部を有する筐体と、
前記筐体に対して前記短手方向に装着され、前記開口部における前記第１面側に開口する第１開口部及び前記第２面側に開口する第２開口部をともに覆う電池蓋部材と、
前記第２開口部を介して認証カードが挿入されるカード挿入孔を有し、該カード挿入孔に前記短手方向に挿入された認証カードを保持するカードホルダと、
を備え、
前記電池蓋部材は、前記カードホルダに認証カードが保持された状態で前記筐体に装着される
携帯電子機器。
【請求項２】
前記電池は、前記電池収容凹部における、前記カードホルダと前記電池蓋部材との間を含む領域に収容される
請求項１に記載の携帯電子機器。
【請求項３】
前記電池蓋部材は、前記筐体に装着された状態において前記カード挿入孔と対向する位置に、前記カードホルダに保持された認証カードに当接し又は近接して認証カードの抜け止めとして機能する抜け止め部を有する
請求項１又は２に記載の携帯電子機器。
【請求項４】
前記筐体の内部に、前記長手方向及び前記短手方向を含む平面に沿う面積が最大の主回路基板を更に備え、
前記カードホルダは、前記筐体を前記厚み方向に視た場合に、前記主回路基板と重ならず且つ前記主回路基板と隣り合う位置に配置される
請求項１から３のいずれか１項に記載の携帯電子機器。
【発明の詳細な説明】
【技術分野】
【０００１】
本発明は、携帯電話機などの携帯電子機器に関する。
【背景技術】
【０００２】
携帯電子機器としての携帯電話機においては、筐体の小型化（薄型化、厚み方向と直交する面方向の小型化など）が進んでいる。
一方、携帯電子機器としての携帯電話機においては、ＵＩＭカード（Ｕｓｅｒ  Ｉｄｅｎｔｉｔｙ  Ｍｏｄｕｌｅ  Ｃａｒｄ）や、ＳＩＭカード（Ｓｕｂｓｃｒｉｂｅｒ  Ｉｄｅｎｔｉｔｙ  Ｍｏｄｕｌｅ  Ｃａｒｄ）等の個人を認証するためのカード（以下「認証カード」ともいう）を筐体に装着する必要がある。そのため、一般的に、筐体の内部には、認証カードを保持するカードホルダが設けられている（例えば、下記特許文献１参照）。
【先行技術文献】
【特許文献】
【０００３】
【特許文献１】特開２００８−２８７６５１号公報
【発明の概要】
【発明が解決しようとする課題】
【０００４】
しかし、ＵＩＭカード、ＳＩＭカード等の認証カードは、サイズが小さいものではあるものの、カードホルダは、認証カードを保持するため、サイズが自ずと認証カードよりも大きくなる。このようなカードホルダは、筐体に対してサイズが比較的大きいものであり、筐体の小型化を妨げるものとなる。また、携帯電話機においては、筐体の小型化を図るだけではなく、筐体（カードホルダ）に対する認証カードの脱着性を確保する必要もある。
前述の問題点は、携帯電話機以外の携帯電子機器においても同様に発生する場合がある。
【０００５】
従って、本発明は、筐体に対する認証カードの脱着性を確保しつつ、筐体の小型化を達成することができる携帯電子機器を提供することを目的とする。
【課題を解決するための手段】
【０００６】
本発明は、長手方向、短手方向及び厚み方向を有する筐体であって、前記長手方向及び前記短手方向を含む平面に沿って拡がる第１面並びに前記長手方向及び前記厚み方向を含む平面に沿って拡がり且つ前記第１面に前記短手方向に隣接する第２面を有するとともに、前記第１面と前記第２面とに跨って形成される開口部を介して電池が収容される電池収容凹部を有する筐体と、前記筐体に対して前記短手方向に装着され、前記開口部における前記第１面側に開口する第１開口部及び前記第２面側に開口する第２開口部をともに覆う電池蓋部材と、前記第２開口部を介して認証カードが挿入されるカード挿入孔を有し、該カード挿入孔に前記短手方向に挿入された認証カードを保持するカードホルダと、を備え、前記電池蓋部材は、前記カードホルダに認証カードが保持された状態で前記筐体に装着される携帯電子機器に関する。
【０００７】
また、前記電池は、前記電池収容凹部における、前記カードホルダと前記電池蓋部材との間を含む領域に収容されることが好ましい。
【０００８】
また、前記電池蓋部材は、前記筐体に装着された状態において前記カード挿入孔と対向する位置に、前記カードホルダに保持された認証カードに当接し又は近接して認証カードの抜け止めとして機能する抜け止め部を有することが好ましい。
【０００９】
また、前記筐体の内部に、前記長手方向及び前記短手方向を含む平面に沿う面積が最大の主回路基板を更に備え、前記カードホルダは、前記筐体を前記厚み方向に視た場合に、前記主回路基板と重ならず且つ前記主回路基板と隣り合う位置に配置されることが好ましい。
【発明の効果】
【００１０】
本発明によれば、筐体に対する認証カードの脱着性を確保しつつ、筐体の小型化を達成することができる携帯電子機器を提供することができる。
【図面の簡単な説明】
【００１１】
【図１】本発明の一実施形態の携帯電話機１を開状態で示す斜視図である。
【図２】本発明の一実施形態の携帯電話機１を閉状態で示す斜視図である。
【図３】図２に示す携帯電話機１を示す背面図である。
【図４】図３に示す携帯電話機１においてバッテリリッド９０を外した状態を示す背面図である。
【図５】操作部側筐体２に内蔵される部品を示す分解斜視図である。
【図６Ａ】カードホルダ８０及び認証カードＩＤを分離させた状態で示す斜視図である。
【図６Ｂ】カードホルダ８０に認証カードＩＤを保持させた状態を示す斜視図である。
【図７Ａ】バッテリリッド９０を内側から示す斜視図である。
【図７Ｂ】バッテリリッド９０を外側から示す斜視図である。
【図８】図４に示すＡ−Ａ切断線で切断した断面図である。
【図９】図８に示す携帯電話機１において認証カードＩＤ、バッテリＱ及びバッテリリッド９０を外した状態を示す断面図である。
【図１０】図３に示すＢ−Ｂ切断線で切断した断面図である。
【発明を実施するための形態】
【００１２】
以下、本発明の実施形態について、図面を参照しながら説明する。まず、本発明の携帯電子機器の一実施形態である携帯電話機１の基本構造について、図１から図５を参照しながら説明する。図１は、本発明の一実施形態の携帯電話機１を開状態で示す斜視図である。図２は、本発明の一実施形態の携帯電話機１を閉状態で示す斜視図である。図３は、図２に示す携帯電話機１を示す背面図である。図４は、図３に示す携帯電話機１においてバッテリリッド９０を外した状態を示す背面図である。図５は、操作部側筐体２に内蔵される部品を示す分解斜視図である。
【００１３】
図１から図３に示すように、本実施形態の携帯電話機１は、折り畳み型の携帯電話機１であって、筐体としての操作部側筐体２と、表示部側筐体３と、操作部側筐体２と表示部側筐体３とを連結する連結部４と、を備える。
【００１４】
操作部側筐体２の上端部と表示部側筐体３の下端部とは、連結部４を介して開閉可能に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２及び図３参照）に変形される。
【００１５】
本実施形態の各構成部材の説明においては、携帯電話機１を図２に示す折り畳まれた状態とした場合に、連結部４からその反対側に向かう方向を「先端方向Ｄ１１」といい、先端方向Ｄ１１の反対方向を「基端方向Ｄ１２」という。先端方向Ｄ１１及び基端方向Ｄ１２に沿う方向を「長手方向Ｄ１」という。
操作部側筐体２から表示部側筐体３に向かう方向を「前面方向Ｄ３１」といい、前面方向Ｄ３１の反対方向を「背面方向Ｄ３２」という。前面方向Ｄ３１及び背面方向Ｄ３２に沿う方向を「厚み方向Ｄ３」という。
携帯電話機１を背面方向Ｄ３２に視た場合における左方向及び右方向をそれぞれ「左方向Ｄ２１」及び「右方向Ｄ２２」という。左方向Ｄ２１及び右方向Ｄ２２に沿う方向を「短手方向Ｄ２」という。
【００１６】
操作部側筐体２は、長手方向Ｄ１、短手方向Ｄ２及び厚み方向Ｄ３を有する略直方体形状の筐体である。
操作部側筐体２の前面２ａ及び背面２ｂは、長手方向Ｄ１及び短手方向Ｄ２を含む平面に沿って拡がる面である。そのうち、操作部側筐体２の背面２ｂは、本発明における「第１面」に該当する。
操作部側筐体２の右側面２ｃ及び左側面２ｄは、長手方向Ｄ１及び厚み方向Ｄ３を含む平面に沿って拡がり且つ第１面である背面２ｂに短手方向Ｄ２に隣接する面である。そのうち、操作部側筐体２の右側面２ｃは、本発明における「第２面」に該当する。
【００１７】
まず、操作部側筐体２について説明する。図１から図５に示すように、操作部側筐体２は、外郭を形成するフロントケース２１、フロントカバー２４及びリアケース２２を備える。フロントケース２１及びフロントカバー２４は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００１８】
フロントケース２１は、前面２ａの外周部分を構成する。フロントケース２１は、板金部材２５が樹脂部材２６にインサート成形されて形成される。この外周部分よりも内側の部分（内側部分）は、主として、板金部材２５における露出部分から形成され、背面２ｂ側に凹んでいる。
【００１９】
フロントカバー２４は、フロントケース２１の前記内側部分を塞ぐように配置される。フロントカバー２４は、操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００２０】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００２１】
操作部側筐体２の前面２ａには、携帯電話機１のユーザが通話時に発した音声が入力される音声入力部１２が配置される。音声入力部１２は、操作部側筐体２の長手方向における連結部４とは反対側の端部（下端部）の近傍に配置される。
【００２２】
操作部側筐体２の側面（右側面２ｃ及び左側面２ｄ）には、例えば、外部機器（例えば、ホスト装置）とデータの送受信を行うためのインターフェースや、ヘッドホン／マイク端子、着脱可能な外部メモリのインターフェースや、バッテリを充電するための充電端子等が設けられる。
【００２３】
図４及び図５に示すように、操作部側筐体２は、電池収容凹部６０を有する。電池収容凹部６０には、背面２ｂと右側面２ｃとに跨って形成される開口部６１を介して、電池（バッテリ）Ｑが収容される。操作部側筐体２の内部構造（電池収容凹部６０を含む）については、後述する。
【００２４】
次に、表示部側筐体３について説明する。図１及び図２に示すように、表示部側筐体３は、外郭を形成するフロントケース３０ａ、カバー部材３３及びリアケース３０ｂを備える。フロントケース３０ａ及びカバー部材３３は、表示部側筐体３の前面３ａ側を構成する。表示部側筐体３の前面３ａは、携帯電話機１が折り畳まれた状態で操作部側筐体２と向かい合う面である。リアケース３０ｂは、表示部側筐体３における前面３ａと反対側の面である背面３ｂ側を構成する。
【００２５】
フロントケース３０ａには、通話の相手側における音声を出力する音声出力部３１が配置される。音声出力部３１は、表示部側筐体３の長手方向における連結部４とは反対の端部側に配置される。
【００２６】
メイン液晶モジュール３４の一方の面（フロントケース３０ａ側の面）には、メイン表示部３４ａが設けられ、このメイン表示部３４ａには、各種情報が表示される。メイン表示部３４ａは、全部又は一部が透明なカバー部材３３を介して、表示部側筐体３の前面３ａ側から視認可能となっている。
【００２７】
メイン液晶モジュール３４は、液晶パネルと、液晶パネルを駆動する駆動回路と、液晶パネルの背面側から光を照射するバックライトとを有する。
【００２８】
続けて、図４から図１０を参照しながら、操作部側筐体２の内部構造について説明する。図６Ａは、カードホルダ８０及び認証カードＩＤを分離させた状態で示す斜視図である。図６Ｂは、カードホルダ８０に認証カードＩＤを保持させた状態を示す斜視図である。図７Ａは、バッテリリッド９０を内側から示す斜視図である。図７Ｂは、バッテリリッド９０を外側から示す斜視図である。図８は、図４に示すＡ−Ａ切断線で切断した断面図である。図９は、図８に示す携帯電話機１において認証カードＩＤ、バッテリＱ及びバッテリリッド９０を外した状態を示す断面図である。図１０は、図３に示すＢ−Ｂ切断線で切断した断面図である。
【００２９】
図４及び図５に示すように、操作部側筐体２は、フロントカバー２４と、キー構造部４０と、キー基板５０と、フロントケース２１と、主回路基板７０と、カードホルダ８０と、リアケース２２と、電池としてのバッテリＱと、電池蓋部材としてのバッテリリッド９０と、メインアンテナＰと、を備える。
【００３０】
フロントケース２１は、金属製の板金部材２５と、板金部材２５の一部を覆う樹脂部材２６とが、インサート成形により一体的に成形されて構成される。
樹脂部材２６は、主として、フロントケース２１の外周部分を枠状に形成する。
板金部材２５は、主として、フロントケース２１における枠状の樹脂部材２６の内側の部分を形成する。
【００３１】
フロントカバー２４は、フロントケース２１における枠状の樹脂部材２６に囲まれて形成される凹状領域を塞ぐように配置される。また、フロントケース２１とリアケース２２とは、互いの凹状の内側面が向き合うように配置され、互いの外周縁が重なり合うようにして結合される。
【００３２】
キー構造部４０及びキー基板５０は、フロントカバー２４と、フロントケース２１における板金部材２５との間に挟まれるようにして内蔵される。また、主回路基板７０及びカードホルダ８０は、フロントケース２１における板金部材２５とリアケース２２との間に挟まれるようにして内蔵される。
即ち、操作部側筐体２においては、バッテリリッド９０、バッテリＱ、リアケース２２、主回路基板７０、カードホルダ８０、板金部材２５、キー基板５０、キー構造部４０及びフロントカバー２４が、この順で積層されている。
【００３３】
図５に示すように、フロントカバー２４には、携帯電話機１の閉状態において表示部側筐体３のメイン表示部３４ａと対向する内側面に、キー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出する。
【００３４】
キー基板５０は、複数の絶縁層（絶縁フィルム）の間に配線を挟み込んで形成されるフレキシブル基板である。キー基板５０は、フロントケース２１を構成する板金部材２５の前面方向Ｄ３１側に配置される。
【００３５】
キー基板５０は、機能設定操作キー１３、入力操作キー１４及び決定操作キー１５にそれぞれ対応してキー構造部４０側に形成される複数のキースイッチ５１、５２、５３を備える。キースイッチ５１、５２、５３は、椀状に湾曲して立体的に形成された金属板のメタルドームを有する。メタルドームは、その椀状形状の頂点が押圧されると、キー基板５０の表面に印刷された電気回路（図示せず）に形成されるスイッチ端子に接触して、電気的に導通するように構成される。
【００３６】
キー構造部４０は、キー基板５０の前面方向Ｄ３１側に対向して配置される。換言すると、キー構造部４０は、キー基板５０を挟んで、板金部材２５とは反対側に配置される。キー構造部４０は、複数のキースイッチ５１、５２、５３を押圧可能な押し子と、操作キー群１１の押圧面を有するキートップとが、弾性を有するシリコンゴム等で構成された基体シートに設けられて構成される。キー構造部４０における操作キー群１１を構成する機能設定操作キー１３、入力操作キー１４及び決定操作キー１５は、キー基板５０におけるキースイッチ５１、５２、５３と対向する位置に配置されると共に、フロントカバー２４に形成されるキー孔１３ａ、１４ａ、１５ａから露出するように配置される。
【００３７】
主回路基板７０は、操作部側筐体２の内部に配設される複数の回路基板のうち、長手方向Ｄ１及び短手方向Ｄ２を含む平面に沿う面積が最大の基板である。
主回路基板７０には、メインアンテナＰが送受信する信号を処理する信号処理部を含む複数の電子部品７１が配置される。これらの電子部品７１は、所定の組み合わせにより複数の回路ブロックを形成する。例えば、主回路基板７０には、ＲＦ（Ｒａｄｉｏ  Ｆｒｅｑｕｅｎｃｙ）回路、電源回路等を含む各種回路ブロックが形成される。
【００３８】
主回路基板７０における基端方向Ｄ１２側の部分（「幅広部分」ともいう）７０Ｃは、操作部側筐体２の内部における短手方向Ｄ２の幅に近い幅を有する。主回路基板７０における先端方向Ｄ１１側の部分（「幅狭部分」ともいう）７０Ｄは、操作部側筐体２の短手方向Ｄ２の幅よりも大幅に狭い幅を有しており、左方向Ｄ２１側に偏在している。つまり、主回路基板７０は、厚み方向Ｄ３に視た場合に略Ｌ字形状を有している。
【００３９】
メインアンテナＰは、基台上に所定形状のアンテナエレメント（図示せず）が設けられることにより構成される。メインアンテナＰは、操作部側筐体２の内部における連結部４とは反対側（先端方向Ｄ１１側）の端部に配置される。メインアンテナＰのアンテナエレメントは、帯状の板金により形成される。アンテナエレメントは、主回路基板７０のＲＦモジュール等と接続される。
【００４０】
次に、カードホルダ８０について説明する。図６Ａに示すように、カードホルダ８０は、カード挿入孔８３（後述）に短手方向Ｄ２に挿入された認証カードＩＤを保持する部材である。カードホルダ８０は、カード基板８１と、収容空間形成部材８２と、接続ケーブル８４とを備える。
【００４１】
認証カードＩＤは、ＵＩＭカード（Ｕｓｅｒ  Ｉｄｅｎｔｉｔｙ  Ｍｏｄｕｌｅ  Ｃａｒｄ）や、ＳＩＭカード（Ｓｕｂｓｃｒｉｂｅｒ  Ｉｄｅｎｔｉｔｙ  Ｍｏｄｕｌｅ  Ｃａｒｄ）等の個人を認証するためのカードである。認証カードＩＤは、その外部に露出するカード側端子（図示せず）を備える。
認証カードＩＤは、カードホルダ８０を保持された状態で、カードホルダ８０などを介して主回路基板７０に電気的に接続される。
【００４２】
カード基板８１は、前記カード側端子に接触して電気的に接続する基板側端子（図示せず）を有する基板である。
【００４３】
収容空間形成部材８２は、カード基板８１の一方の面（背面方向Ｄ３２側の面）に取り付かれる。その状態において、収容空間形成部材８２とカード基板８１との間に、カード収容空間が形成される。カード収容空間は、認証カードＩＤが収容される空間である。
【００４４】
カード収容空間における右方向Ｄ２２側は、カード挿入孔８３となっている。カード挿入孔８３は、電池収容凹部６０の開口部６１のうち右側面２ｃ側に開口する第２開口部６１Ｂを介して認証カードＩＤが挿入される孔である。カード挿入孔８３に挿入された認証カードＩＤは、カードホルダ８０のカード収容空間に収容されて保持される。
【００４５】
接続ケーブル８４は、カード基板８１と主回路基板７０とを電気的に接続するケーブルである。接続ケーブル８４は、例えば、フレキシブルプリント基板（ＦＰＣ：Ｆｌｅｘｉｂｌｅ  Ｐｒｉｎｔｅｄ  Ｃｉｒｃｕｉｔｓ）からなり、第１コネクタ８４Ａと、第２コネクタ８４Ｂと、配線部８４Ｃとを備える。
第１コネクタ８４Ａは、カード基板８１に設けられたコネクタ部（図示せず）に接続される。第２コネクタ８４Ｂは、主回路基板７０に設けられたコネクタ部（図示せず）に接続される。配線部８４Ｃは、第１コネクタ８４Ａと第２コネクタ８４Ｂとを電気的に導通させる。
【００４６】
図６Ｂに示すように、認証カードＩＤは、カードホルダ８０のカード収容空間に向けて左方向Ｄ２１（短手方向Ｄ２）に移動され、カード挿入孔８３からカード収容空間に収容される。認証カードＩＤは、カード収容空間に収容された状態でカードホルダ８０に保持される。
【００４７】
図４、図５及び図８に示すように、カードホルダ８０は、主回路基板７０の幅狭部分７０Ｄの右方向Ｄ２２側に配置される。従って、カードホルダ８０は、操作部側筐体２を厚み方向Ｄ３に視た場合に、主回路基板７０と重ならず且つ主回路基板７０と隣り合う位置に配置される。
また、図８に示すように、カード基板８１の前面方向Ｄ３１側は、両面テープなどの接合部材８５を介して、フロントケース２１の板金部材２５に接合されている。
【００４８】
次に、電池収容凹部６０について説明する。図４、図５及び図８から図１０に示すように、電池収容凹部６０は、バッテリＱを操作部側筐体２に装着する際に、バッテリＱを収容する凹部（空間）である。電池収容凹部６０は、バッテリＱが収容された後、開口部６１がバッテリリッド９０により塞がれる。
電池収容凹部６０は、操作部側筐体２の内部における先端方向Ｄ１１側（連結部４とは反対側）の約半分の領域に配置される。電池収容凹部６０は、右方向Ｄ２２に偏在している。短手方向Ｄ２において、電池収容凹部６０と操作部側筐体２の左側面２ｄとの間には、バイブレータ２７（図８参照）などが配設されている。
【００４９】
図９に示すように、電池収容凹部６０は、操作部側筐体２の背面２ｂと右側面２ｃとに跨って形成される開口部６１を有する。開口部６１のうち、背面２ｂ側に開口する部分を「第１開口部６１Ａ」といい、右側面２ｃ側に開口する部分を「第２開口部６１Ｂ」という。ここでいう「開口する」には、「凹む」ことを含むものとする。
電池収容凹部６０の前面方向Ｄ３１側には、主回路基板７０の幅狭部分７０Ｄ、カードホルダ８０等が配置される。電池収容凹部６０の背面方向Ｄ３２側には、バッテリリッド９０の第１外面部９１等が配置される。電池収容凹部６０の長手方向Ｄ１側及び短手方向Ｄ２側には、周壁部６２等が配置される。
【００５０】
図５に示すように、周壁部６２は、第１周壁部６２Ａと、第２周壁部６２Ｂと、第３周壁部６２Ｃと、第４周壁部６２Ｄとを有する。
第１周壁部６２Ａは、先端方向Ｄ１１側に位置し、短手方向Ｄ２に延びる壁部である。第２周壁部６２Ｂは、基端方向Ｄ１２側に位置し、短手方向Ｄ２に延びる壁部である。第３周壁部６２Ｃは、右方向Ｄ２２側に位置し、長手方向Ｄ１に延びる壁部である。第４周壁部６２Ｄは、左方向Ｄ２１側に位置し、長手方向Ｄ１に延びる壁部である。
【００５１】
図４及び図１０に示すように、電池収容凹部６０には、凹部側係止部６３が設けられる。凹部側係止部６３は、電池収容凹部６０の左方向Ｄ２１側で且つ背面方向Ｄ３２側であって、電池収容凹部６０の長手方向Ｄ１の略中央部に設けられる。凹部側係止部６３は、バッテリリッド９０が操作部側筐体２に装着された状態において、バッテリリッド９０の蓋側係止部９４に係合する。
【００５２】
次に、バッテリリッド９０について説明する。図４、図５及び図８から図１０に示すように、バッテリリッド９０は、バッテリＱを電池収容凹部６０に収納した後、リアケース２２に装着される。バッテリリッド９０は、操作部側筐体２に対して短手方向Ｄ２（左方向Ｄ２１）に装着され、電池収容凹部６０を塞ぐ蓋部材である。詳細には、バッテリリッド９０は、開口部６１における第１開口部６１Ａ及び第２開口部６１Ｂをともに覆う部材である。
また、図７Ａ及び図７Ｂに示すように、バッテリリッド９０は、第１外面部９１と、第２外面部９２と、抜け止め部９３と、蓋側係止部９４とを備える。
【００５３】
第１外面部９１は、操作部側筐体２の電池収容凹部６０における開口部６１の第１開口部６１Ａを覆う部分である。第１外面部９１は、バッテリリッド９０が操作部側筐体２に装着された状態において、長手方向Ｄ１及び短手方向Ｄ２を含む平面に沿って拡がる。
第２外面部９２は、操作部側筐体２の電池収容凹部６０における開口部６１の第２開口部６１Ｂを覆う部分である。第２外面部９２は、バッテリリッド９０が操作部側筐体２に装着された状態において、長手方向Ｄ１及び厚み方向Ｄ３を含む平面に沿って拡がる。
バッテリリッド９０を長手方向Ｄ１に視た場合において、第１外面部９１と第２外面部９２とは、略Ｌ字状に屈曲した形状を有する。
【００５４】
抜け止め部９３は、第２外面部９２の左方向Ｄ２１側の面から左方向Ｄ２１に突出しており、長手方向Ｄ１及び短手方向Ｄ２を含む平面に沿って拡がる板状部である。抜け止め部９３は、第２外面部９２の前面方向Ｄ３１側で且つ先端方向Ｄ１１側に設けられる。
図８及び図９に示すように、抜け止め部９３は、バッテリリッド９０が操作部側筐体２に装着された状態においてカードホルダ８０のカード挿入孔８３と対向する位置に位置する。そして、抜け止め部９３は、カードホルダ８０に保持された認証カードＩＤに当接し又は近接して、認証カードの抜け止めとして機能する。特に、抜け止め部９３の突出先端９３ａは、認証カードＩＤの挿入方向における後端面ＩＤａに当接し、認証カードＩＤの脱落方向への移動を規制する。
【００５５】
蓋側係止部９４は、第１外面部９１の左方向Ｄ２１側の端縁における長手方向Ｄ１の略中央部に設けられる。蓋側係止部９４は、第１外面部９１に対して前面方向Ｄ３１側に段差状に凹んで形成される。
図１０に示すように、蓋側係止部９４は、バッテリリッド９０が操作部側筐体２に装着された状態において、操作部側筐体２の電池収容凹部６０の凹部側係止部６３と係合する。
【００５６】
バッテリリッド９０は、カードホルダ８０に認証カードＩＤが保持された状態で操作部側筐体２に装着される。バッテリリッド９０が操作部側筐体２に装着された状態においては、抜け止め部９３がフロントケース２１とリアケース２２の第３周壁部６２Ｃとの間に配置されると共に、蓋側係止部９４と凹部側係止部６３とが係合することにより、操作部側筐体２へのバッテリリッド９０の装着状態が維持される。
ここで、バッテリＱは、電池収容凹部６０における、カードホルダ８０とバッテリリッド９０との間（厚み方向Ｄ３の間）を含む領域に収容される。
【００５７】
なお、操作部側筐体２の内部には、シールドケース（図示せず）を配設することができる。シールドケースは、主回路基板７０に配置される複数の電子部品７１に外部からの高周波等のノイズが作用することを抑制する部材である。
【００５８】
本実施形態の携帯電話機１によれば、以下に示す各効果が奏される。
本実施形態の携帯電話機１においては、背面２ｂと右側面２ｃとに跨って形成される開口部６１を介してバッテリＱが収容される電池収容凹部６０を有する操作部側筐体２と、電池収容凹部６０の第２開口部６１Ｂを介して認証カードＩＤが挿入されるカード挿入孔８３を有し、カード挿入孔８３に短手方向Ｄ２に挿入された認証カードＩＤを保持するカードホルダ８０と、操作部側筐体２に対して短手方向Ｄ２に装着され、第１開口部６１Ａ及び第２開口部６１Ｂをともに覆うバッテリリッド９０と、と備え、バッテリリッド９０は、カードホルダ８０に認証カードＩＤが保持された状態で操作部側筐体２に装着される。
【００５９】
そのため、操作部側筐体２の内部におけるカードホルダ８０の配置位置の自由度が高く、操作部側筐体２の小型化が容易である。また、認証カードＩＤを短手方向Ｄ２に挿入してカードホルダ８０に保持させることができ、操作部側筐体２に対する認証カードＩＤの脱着性を確保することができる。更に、操作部側筐体２にバッテリＱが装着された状態において、バッテリリッド９０により、認証カードＩＤが操作部側筐体２から脱落することを防止できる。
【００６０】
また、本実施形態の携帯電話機１においては、バッテリＱは、電池収容凹部６０における、カードホルダ８０とバッテリリッド９０との間を含む領域に収容される。そのため、バッテリＱを厚み方向Ｄ３にカードホルダ８０とバッテリリッド９０との間で挟む構成を実現でき、例えば、バッテリＱを厚み方向Ｄ３に挟む部材などを削減できる。
【００６１】
また、本実施形態の携帯電話機１においては、バッテリリッド９０は、操作部側筐体２に装着された状態においてカード挿入孔８３と対向する位置に、抜け止め部９３を有する。そのため、操作部側筐体２のカードホルダ８０に一旦保持（装着）された認証カードＩＤがカードホルダ８０から外れることを防止でき、例えば、認証カードＩＤの瞬断を防止できる。
【００６２】
また、本実施形態の携帯電話機１においては、カードホルダ８０は、操作部側筐体２を厚み方向Ｄ３に視た場合に、主回路基板７０と重ならず且つ主回路基板７０と隣り合う位置に配置される。そのため、主回路基板７０が配置されていない領域にカードホルダ８０が配置されることになるため、操作部側筐体２の厚み（厚み方向Ｄ３の長さ）を抑制することができる。
【００６３】
以上、本発明の一実施形態について説明したが、本発明は、前述した実施形態に制限されるものではなく、適宜変更が可能である。
例えば、本発明における筐体の第２面は、前記実施形態においては、操作部側筐体２の右側面２ｃから構成されているが、これに制限されず、例えば、操作部側筐体２の左側面２ｄから構成されていてもよい。
【００６４】
また、本発明の携帯電子機器は、前記実施形態のような折り畳み式ではなく、操作部側筐体２と表示部側筐体３とを重ね合わせた状態から一方の筐体を一方向にスライドさせるようにしたスライド式の携帯電子機器であってもよい。また、本発明の携帯電子機器は、操作部側筐体２と表示部側筐体３との重ね合せ方向に沿う軸線を中心に一方の筐体を回転させるようにした回転式（ターン式）の携帯電子機器であってもよい。また、本発明の携帯電子機器は、操作部側筐体２と表示部側筐体３とが一つの筐体に配置され連結部を有さない型式（ストレートタイプ）でもよい。また、本発明の携帯電子機器は、開閉及び回転が可能ないわゆる２軸ヒンジタイプであってもよい。
【００６５】
本発明は、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコンが挙げられる。
【符号の説明】
【００６６】
１  携帯電話機（携帯電子機器）
２  操作部側筐体（筐体）
２ｂ  背面（第１面）
２ｃ  右側面（第２面）
６０  電池収容凹部
６１  開口部
６１Ａ  第１開口部
６１Ｂ  第２開口部
６３  抜け止め部
８０  カードホルダ
８３  カード挿入孔
９０  バッテリリッド（電池蓋部材）
７０  主回路基板
Ｄ１  長手方向
Ｄ２  短手方向
Ｄ３  厚み方向
ＩＤ  認証カード
Ｑ  バッテリ（電池）
【図１】
2010278627.tif 000003
【図２】
2010278627.tif 000004
【図３】
2010278627.tif 000005
【図４】
2010278627.tif 000006
【図５】
2010278627.tif 000007
【図６Ａ】
2010278627.tif 000008
【図６Ｂ】
2010278627.tif 000009
【図７Ａ】
2010278627.tif 000010
【図７Ｂ】
2010278627.tif 000011
【図８】
2010278627.tif 000012
【図９】
2010278627.tif 000013
【図１０】
2010278627.tif 000014